(57)【要約】【課題】顔の美容効果を高めることが可能なマスクを提供すること。【解決手段】マスク（１）であって、少なくとも口及び鼻孔を覆う形状を有するマスク本体（１０）と、一対の保持部（３０）と、マスク本体（１０）の内面に設けられた薬剤層と、を備え、マスク本体（１０）は、一対の保持部（３０）によってマスク本体（１０）が口及び鼻孔を覆った状態に保持されたときに顔面のうち目と頬との間の部位を被覆する内側被覆部（２０）と、幅方向について内側被覆部（２０）の外側で、かつ、上下方向について内側被覆部（２０）の上側に配置された外側被覆部（２２）と、を有すること。【選択図】図１
2019011533.tif 000002
【特許請求の範囲】
【請求項１】
少なくとも口及び鼻孔を覆う形状を有するマスク本体と、
口及び鼻孔を覆った状態の前記マスク本体の側部に接続されており、前記マスク本体を当該マスク本体が口及び鼻孔を覆った状態に保持する一対の保持部と、
前記マスク本体の内面に設けられた薬剤層と、を備えるマスクであって、
前記マスク本体は、
前記一対の保持部によって前記マスク本体が口及び鼻孔を覆った状態に保持されたときに顔面のうち目と頬との間の部位を被覆する内側被覆部と、
前記保持部同士を結ぶ方向である幅方向について前記内側被覆部の外側で、かつ、前記幅方向と直交する方向である上下方向について前記内側被覆部の上側に配置された外側被覆部と、を有する、マスク。
【請求項２】
請求項１に記載のマスクにおいて、
前記上下方向についての前記外側被覆部の上側の縁部は、上向きに凸となるように湾曲する形状を有する、マスク。
【請求項３】
請求項１又は２に記載のマスクにおいて、
前記マスク本体のうち前記幅方向の中央部には、前記上下方向に沿って延びる溶着部が形成されており、
前記外側被覆部は、前記溶着部の上端と下端とを結ぶ直線である基準直線に対して垂直でかつ前記上下方向についての前記内側被覆部の上側の縁部の下端部を通る直線から、上向きに５ｍｍ以上突出する形状を有する、マスク。
【請求項４】
請求項１ないし３のいずれかに記載のマスクにおいて、
前記上下方向についての前記外側被覆部の上側の縁部のうち前記幅方向についての内側の端部は、下向きに凸となるように湾曲する形状を有する、マスク。
【請求項５】
請求項１ないし４のいずれかに記載のマスクにおいて、
前記上下方向についての前記内側被覆部の上側の縁部は、下向きに凸となるように凹状に窪む形状を有する、マスク。
【請求項６】
請求項１ないし５のいずれかに記載のマスクにおいて、
前記マスク本体は、当該マスク本体の前記幅方向の中央を通りかつ前記上下方向に沿って延びる直線である中央直線を基準として前記幅方向について対称な形状を有し、
前記マスク本体は、
鼻を被覆する鼻被覆部と、
前記上下方向について前記鼻被覆部の下側に配置されており口の周囲を被覆する口周囲被覆部と、をさらに有し、
前記鼻被覆部と前記口周囲被覆部との境界は、前記中央直線に沿って前記マスク本体が折り曲げられた状態において前記鼻被覆部から前記保持部側に向かうように窪む形状を有する、マスク。
【発明の詳細な説明】
【技術分野】
【０００１】
本発明は、マスクに関する。
【背景技術】
【０００２】
従来、就寝中等に着用するマスクが知られている。例えば、特許文献１には、マスク本体と、マスク本体に接続された一対の耳掛け部と、保水液を保持しておりマスク本体に装着される吸水性コアと、を備えるマスクが開示されている。このマスクの着用により、吸水性コアから口腔へ水分が供給されるため、例えば就寝中にこのマスクを着用することにより、就寝中における咽喉の乾燥が抑制される。
【先行技術文献】
【特許文献】
【０００３】
【特許文献１】特開２０１２−２０５９２６号公報
【発明の概要】
【発明が解決しようとする課題】
【０００４】
特許文献１に記載されるようなマスクでは、就寝中等に着用することで顔の美容効果を高めたいというニーズがある。
【０００５】
そこで、マスクのうち顔面に接触する部位（内面）に、例えば保湿剤を塗布することが考えられるが、特許文献１に記載されるようなマスクの形状では美容効果としては十分とは言えない。
【０００６】
本発明の目的は、顔の美容効果を高めることが可能なマスクを提供することである。
【課題を解決するための手段】
【０００７】
前記課題を解決するための手段として、本発明は、少なくとも口及び鼻孔を覆う形状を有するマスク本体と、口及び鼻孔を覆った状態の前記マスク本体の側部に接続されており、前記マスク本体を当該マスク本体が口及び鼻孔を覆った状態に保持する一対の保持部と、前記マスク本体の内面に設けられた薬剤層と、を備えるマスクであって、前記マスク本体は、前記一対の保持部によって前記マスク本体が口及び鼻孔を覆った状態に保持されたときに顔面のうち目と頬との間の部位を被覆する内側被覆部と、前記保持部同士を結ぶ方向である幅方向について前記内側被覆部の外側で、かつ、前記幅方向と直交する方向である上下方向について前記内側被覆部の上側に配置された外側被覆部と、を有する、マスクを提供する。
【０００８】
本マスクでは、一対の保持部によってマスク本体が口及び鼻孔を覆った状態に保持されたときに、薬剤層のうち内側被覆部の内面に位置する部位が目の下の部位に接触するとともに、薬剤層のうち外側被覆部の内面に設けられた部位が目尻及びその近傍の部位に接触する。このため、目尻を含む美容のニーズの高い目元近傍の部位の美容効果が得られる。よって、このマスクの着用により顔の美容効果が高まる。
【０００９】
また、前記上下方向についての前記外側被覆部の上側の縁部は、上向きに凸となるように湾曲する形状を有することが好ましい。
【００１０】
このようにすれば、外側被覆部の上側の縁部に角が形成されている場合に比べて当該外側被覆部への指等の引っ掛かりが抑制されるので、外側被覆部の剥離（めくれ）が抑制される。また、使用感が向上する。
【００１１】
また、前記マスクにおいて、前記マスク本体のうち前記幅方向の中央部には、前記上下方向に沿って延びる溶着部が形成されており、前記外側被覆部は、前記溶着部の上端と下端とを結ぶ直線である基準直線に対して垂直でかつ前記上下方向についての前記内側被覆部の上側の縁部の下端部を通る直線から、上向きに５ｍｍ以上突出する形状を有することが好ましい。
【００１２】
このようにすれば、薬剤層のうち外側被覆部の内面に位置する部位が目尻及びその近傍の部位に有効に接触する。
【００１３】
また、前記マスクにおいて、前記上下方向についての前記外側被覆部の上側の縁部のうち前記幅方向についての内側の端部は、前記上下方向について下向きに凸となるように湾曲する形状を有することが好ましい。
【００１４】
このようにすれば、薬剤層のうち内側被覆部及び外側被覆部の内面に位置する部位の目元への密着性が高まる。
【００１５】
また、前記マスクにおいて、前記上下方向についての前記内側被覆部の上側の縁部は、下向きに凸となるように凹状に窪む形状を有することが好ましい。
【００１６】
このようにすれば、薬剤層のうち内側被覆部の内面に位置する部位の目元への密着性がより向上する。
【００１７】
また、前記マスクにおいて、前記マスク本体は、当該マスク本体の前記幅方向の中央を通りかつ前記上下方向に沿って延びる直線である中央直線を基準として前記幅方向について対称な形状を有し、前記マスク本体は、鼻を被覆する鼻被覆部と、前記上下方向について前記鼻被覆部の下側に配置されており口の周囲を被覆する口周囲被覆部と、をさらに有し、前記鼻被覆部と前記口周囲被覆部との境界は、前記中央直線に沿って前記マスク本体が折り曲げられた状態において前記鼻被覆部から前記保持部側に向かうように窪む形状を有することが好ましい。
【００１８】
このようにすれば、一対の保持部によってマスク本体が口及び鼻孔を覆った状態に保持されたときに、鼻被覆部と口周囲被覆部との境界が鼻の下の部位に密着しやすくなる。よって、鼻の下の部位の美容効果が高まる。
【発明の効果】
【００１９】
以上のように、本発明によれば、顔の美容効果を高めることが可能なマスクを提供することができる。
【図面の簡単な説明】
【００２０】
【図１】本発明の第１実施形態のマスクの側面図である。
【図２】図１に示されるマスクの正面図である。
【図３】マスク本体の分解斜視図である。
【図４】図１に示されるマスクの着用時の様子を概略的に示す図である。
【図５】本発明の第２実施形態のマスクの側面図である。
【図６】図５に示されるマスクの正面図である。
【図７】図５に示されるマスクの着用時の様子を概略的に示す図である。
【発明を実施するための形態】
【００２１】
（第１実施形態）
本発明の第１実施形態のマスク１について、図１〜図４を参照しながら説明する。本マスク１は、就寝中等に着用されることにより、顔の美容効果（保湿効果等）やリフトアップ効果を得ることが可能なものである。
【００２２】
マスク１は、マスク本体１０と、一対の保持部３０と、薬剤層４０（図３を参照）と、を備えている。以下、保持部３０同士を結ぶ方向（図２の左右方向）を幅方向と称し、幅方向に直交する方向（図１及び図２の上下方向）を上下方向と称する。
【００２３】
マスク本体１０は、図３に示されるように、肌（顔面）に触れる側の部位である内層１０Ａと、外気に触れる側の部位である外層１０Ｂと、内層１０Ａと外層１０Ｂとの間に設けられた中間層１０Ｃと、からなる三層構造を有している。各層１０Ａ〜１０Ｃは、後述する溶着部１２Ａ及び外縁部分を除いて、互いに接着されることなく重ね合わされている。
【００２４】
内層１０Ａは、スパンレース法により形成されたスパンレース不織布からなる。内層１０Ａは、分割繊維で構成されている。本実施形態では、内層１０Ａは、６５％のポリエチレンテレフタレート及び３５％のナイロンで構成されている。この内層１０Ａの内面に、薬剤層４０（図３において斜線で示されている部位）が設けられている。
【００２５】
薬剤層４０は、内層１０Ａの内面に塗布された薬剤（肌への美容効果を有する成分を含有するもの）からなる。本実施形態では、薬剤として、保湿剤が用いられている。薬剤層４０は、保湿成分、防腐剤及び水を含む。保湿成分としては、グリセリン、コラーゲン、ヒアルロン酸、セラミドまたはスクワランが例示されるが、不織布に塗布して保湿効果を発揮するという観点から、特にグリセリン及び醗酵ヒアルロン酸が好ましい。防腐剤としては、ブチルカルバミン酸ヨウ化プロピニル、パラオキシ安息香酸メチル、パラオキシ安息香酸プロピルまたはフェノキシエタノールが例示されるが、カビ菌への抵抗性を発揮するという観点から、特にブチルカルバミン酸ヨウ化プロピニルが好ましい。なお、薬剤として、美白剤（ビタミンＣ誘導体、ハイドロキノン、アルブチン等）、収斂剤（クエン酸、ミョウバン、エタノール等）、皮膚保護剤、皮膚栄養剤等が用いられてもよい。
【００２６】
薬剤の内層１０Ａの内面への塗布量は、１０ｇ／ｍ２以上１５０ｇ／ｍ２以下に設定される。前記塗布量は、２０ｇ／ｍ２以上１５０ｇ／ｍ２以下に設定されることがより好ましく、４０ｇ／ｍ２以上８０ｇ／ｍ２以下に設定されることがさらに好ましい。本実施形態では、前記塗布量は、６０ｇ／ｍ２に設定されている。薬剤層４０を構成する薬剤は、使用者の呼気による水蒸気を抱水することで保湿効果を更に向上させる観点から、５０重量％以上のグリセリンを含む。
【００２７】
中間層１０Ｃは、内層１０Ａの外側に配置されている。中間層１０Ｃは、エアスルー法により形成されたエアスルー不織布からなる。本実施形態では、中間層１０Ｃは、ポリプロピレンのみで構成されている。
【００２８】
外層１０Ｂは、中間層１０Ｃの外側に配置されている。外層１０Ｂは、スパンボンド法により形成されたスパンボンド不織布からなる。本実施形態では、外層１０Ｂは、ポリプロピレンのみで構成されている。外層１０Ｂは、疎水性を有する。
【００２９】
本実施形態では、内層１０Ａの圧力損失は、外層１０Ｂの圧力損失よりも大きく、外層１０Ｂの圧力損失は、中間層１０Ｃの圧力損失よりも大きい。圧力損失は、通気抵抗に相当する。内層１０Ａの圧力損失は、１．０ｍｍＨ２Ｏ／ｃｍ２以上２．５ｍｍＨ２Ｏ／ｃｍ２以下であり、外層１０Ｂの圧力損失は、０ｍｍＨ２Ｏ／ｃｍ２よりも大きく０．５ｍｍＨ２Ｏ／ｃｍ２以下であり、中間層１０Ｃの圧力損失は、０ｍｍＨ２Ｏ／ｃｍ２よりも大きく０．３ｍｍＨ２Ｏ／ｃｍ２以下である。なお、マスク本体１０の圧力損失は、１．３ｍｍＨ２Ｏ／ｃｍ２以上３．１ｍｍＨ２Ｏ／ｃｍ２以下に設定されることが好ましい。圧力損失は、以下のようにして測定することが可能である。調湿したマスクを直径２．５ｃｍの試料ホルダー（筒状のもの）に取り付け、ポンプで８Ｌ／ｍｉｎの流量で吸引する。この際の圧力損失（ｍｍＨ２Ｏ）を測定し、測定面積で割変した値（ｍｍＨ２Ｏ/ｃｍ２）を最終結果とする。現在、廃版であるが、規格試験番号ＭＩＬ‐Ｍ‐３６９５４Ｃに則した測定である。
【００３０】
内層１０Ａの曲げ硬さは、外層１０Ｂの曲げ硬さよりも小さい。本実施形態では、外層１０Ｂの曲げ硬さは、０．０８ｇ／ｃｍ以上であり、内層１０Ａの曲げ硬さは、０．０８ｇ／ｃｍ未満である。なお、マスク本体１０の曲げ硬さは、０．５０ｇ／ｃｍ以下に設定されることが好ましい。曲げ硬さは、以下のようにして測定することが可能である。まず、マスク１の各層１０Ａ〜１０Ｃを構成するシート材から、縦１５０ｍｍ及び横５０ｍｍにカットした試料を重ね合わせる。なお、試料は、マスク１から採取したもの、あるいは、マスク１の各層１０Ａ〜１０Ｃを構成するシート材と同質のシート材から採取したもののいずれであっても良い。そして、マスク本体１０を測定する場合には、各試料を重ね合わせた状態で、例えばＫＥＳＦＢ−２ＡＵＴＯ−Ａ（カトーテック株式会社製）などの自動化純曲げ試験機で一定の曲率を与えながら、縦方向１ｃｍ幅あたりの曲げモーメントを計測する。そして、曲率Ｋが０．５ｃｍ−１〜１．５ｃｍ−１での曲げモーメントＭの平均傾斜（ｄＭ／ｄＫ）を算出することで、曲げ硬さを測定することができる。
【００３１】
次に、図１、図２及び図４を参照しながら、マスク本体１０の形状について説明する。マスク本体１０は、中央被覆部１２と、側部被覆部１６と、内側被覆部２０と、外側被覆部２２と、を有する。図２に示されるように、マスク本体１０は、当該マスク本体１０の幅方向の中央を通りかつ上下方向に沿って延びる直線である中央直線Ｃを基準として幅方向について対称な形状を有する。
【００３２】
中央被覆部１２は、顔面のうち口及び鼻孔の周囲の部位を被覆する部位である。具体的に、中央被覆部１２は、鼻を被覆する鼻被覆部１３と、鼻被覆部１３の下側に接続されており口の周囲を被覆する口周囲被覆部１４と、を含む。本実施形態では、図１に示されるように、中央被覆部１２は、中央直線Ｃに沿ってマスク本体１０が折り曲げられた状態において、保持部３０から離れる方向に凸となるように湾曲する形状を有している。この湾曲している部分の縁部（中央被覆部１２のうち、中央直線Ｃに沿ってマスク本体１０が折り曲げられた状態において保持部３０から遠い側に位置する端部（図１の左側の端部））には、溶着部１２Ａが形成されている。
【００３３】
側部被覆部１６は、中央被覆部１２の側方に接続されており、顔面のうち頬の周囲や顎を被覆する部位である。この側部被覆部１６に、保持部３０が接続（溶着）されている。
【００３４】
内側被覆部２０は、中央被覆部１２の側方でかつ側部被覆部の上方に接続されている。内側被覆部２０は、一対の保持部３０によってマスク本体１０が口及び鼻孔を覆った状態に保持されたときに顔面のうち目と頬との間の部位（目の下の部位）を被覆する部位である。本実施形態では、上下方向についての内側被覆部２０の上側の縁部は、下向きに凸となるように凹状に窪む形状を有している。
【００３５】
外側被覆部２２は、幅方向について内側被覆部２０の外側で、かつ、上下方向について内側被覆部２０の上側に配置されている。外側被覆部２２は、一対の保持部３０によってマスク本体１０が口及び鼻孔を覆った状態に保持されたときに目尻及びその近傍の部位を被覆する部位である。上下方向についての外側被覆部２２の上側の縁部は、上向きに凸となるように湾曲する形状を有する。前記上下方向についての外側被覆部２２の上側の縁部のうち幅方向についての内側の端部は、下向きに凸となるように湾曲する形状を有する。図１に示されるように、外側被覆部２２は、溶着部１２Ａの上端と下端とを結ぶ直線である基準直線Ｌに対して垂直でかつ上下方向についての内側被覆部２０の上側の縁部の下端部を通る直線ＨＬから、上向きに突出する形状を有する。外側被覆部２２の上側の縁部の前記直線ＨＬからの上方への突出寸法ｈ（基準直線Ｌに対して垂直でかつ外側被覆部２２の上側の縁部の上端部を通る直線ＨＨと前記ＨＬとの距離ｈ）は、５ｍｍ以上に設定されることが好ましく、５ｍｍ以上３０ｍｍ以下に設定されることがより好ましく、１５ｍｍ以上２７ｍｍ以下に設定されることがさらに好ましく、１８ｍｍ以上２４ｍｍ以下に設定されることが特に好ましい。本実施形態では、前記突出寸法ｈは、１９ｍｍに設定されている。
【００３６】
保持部３０は、口及び鼻孔を覆った状態のマスク本体１０の側部に接続されており、マスク本体１０を当該マスク本体１０が口及び鼻孔を覆った状態に保持する。本実施形態では、保持部３０として、耳掛け部３０が採用されている。耳掛け部３０の各端部３２は、マスク本体１０の側部被覆部１６に溶着されている。本実施形態では、各端部３２（各端部３２とマスク本体１０との溶着部）は矩形状に形成されている。各端部３２の中心間距離Ｄ（図１を参照）は、１０ｍｍ以上３５ｍｍ以下に設定されている。この中心間距離Ｄは、２０ｍｍ以上３０ｍｍ以下に設定されることがより好ましい。本実施形態では、２５ｍｍに設定されている。前記端部３２の周縁部のうち互いに対向する１組の縁部と平行でかつ当該端部３２の中心を通る直線、すなわち、前記端部３２の中心軸（端部３２の長手方向と平行でかつ端部３２の中心を通る軸）は、基準直線Ｌ又は中央直線Ｃから離間するにしたがって次第に上に向かうように傾斜している。本実施形態では、基準直線Ｌと前記中心軸とのなす角θは、６５度〜８５度に設定されている。
【００３７】
以上に説明したように、本実施形態のマスク１では、一対の耳掛け部３０が耳に掛けられたとき（一対の保持部３０によってマスク本体１０が口及び鼻孔を覆った状態に保持されたとき）に、薬剤層４０のうち内側被覆部２０の内面に位置する部位が目の下の部位に接触するとともに、薬剤層４０のうち外側被覆部２２の内面に設けられた部位が目尻及びその近傍の部位に接触する。このため、目尻を含む美容のニーズの高い目元近傍の部位の美容効果が得られる。よって、このマスク１の着用により顔の美容効果が高まる。
【００３８】
また、外側被覆部２２の上側の縁部は、上向きに凸となるように湾曲する形状を有するので、外側被覆部２２の上側の縁部に角が形成されている場合に比べて当該外側被覆部２２への指等の引っ掛かりが抑制される。このため、外側被覆部の剥離（めくれ）が抑制される。また、使用感が向上する。
【００３９】
さらに、外側被覆部２２は、直線ＨＬから上向きに５ｍｍ以上突出する形状を有するので、薬剤層４０のうち外側被覆部２２の内面に位置する部位が目尻及びその近傍の部位に有効に接触する。
【００４０】
また、上下方向についての外側被覆部２２の上側の縁部のうち幅方向についての内側の端部は、下向きに凸となるように湾曲する形状を有するので、薬剤層４０のうち内側被覆部２０及び外側被覆部２２の内面に位置する部位の目元への密着性が高まる。
【００４１】
また、内側被覆部２０の上側の縁部は、下向きに凸となるように凹状に窪む形状を有するので、薬剤層４０のうち内側被覆部２０の内面に位置する部位の目元への密着性がより向上する。
【００４２】
さらに、本マスク１では、耳掛け部３０の各端部３２の中心間距離Ｄが１０ｍｍ以上３５ｍｍ以下に設定されているので、一対の耳掛け部３０が耳に掛けられたときに、耳掛け部３０の端部３２から耳に向かうにしたがって上下方向についての耳掛け部３０間の距離が大きくなる。つまり、耳掛け部３０がマスク本体１０を耳に向けて（斜め上方向に）引っ張るので、リフトアップの効果が高まる。具体的に、中心間距離Ｄが１０ｍｍ以上に設定されることにより、耳掛け部３０による耳への負担の増大及びマスク本体１０のうち耳掛け部３０の端部３２間に位置する部位が顔から浮き上がることが抑制され、かつ、中心間距離Ｄが３５ｍｍ以下に設定されることにより、マスク本体１０の引張効果が確保される。
【００４３】
また、耳掛け部３０の端部３２とマスク本体１０との接続部の中心を通る中心軸は、基準直線Ｌ又は中央直線Ｃから離間するにしたがって次第に上方に向かうように傾斜している。このため、一対の耳掛け部３０が耳に掛けられたときに接続部に対して作用する力の方向と接続部の中心軸とのなす角が小さくなるので、接続部の中心軸が基準直線Ｌと直交する場合に比べて、耳掛け部３０から接続部に対して作用する力がマスク本体１０に分散せずに伝達しやすくなり、マスク本体１０のうち顎を被覆する部位が顔から浮き上がることが抑制される。
【００４４】
また、本マスク１では、薬剤層４０がマスク本体１０の内面に設けられているので、就寝中にマスク１を着用した場合であっても、就寝中における薬剤の布団への付着が防止され、また、薬剤の塗布量が２０ｇ／ｍ２以上であるので、化粧用マスクのような使用感を得ながら顔の美容効果を得ることができる。
【００４５】
さらに、薬剤の塗布量が１５０ｇ／ｍ２以下であるので、就寝中における布団への薬剤の付着が抑制され、かつ、呼吸のしやすさが確保される。
【００４６】
また、本マスク１では、外層１０Ｂが疎水性を有するので、薬剤の蒸発が抑制される。このため、薬剤層４０による美容効果及び使用感が長時間持続する。よって、就寝中のような長時間にわたって美容効果を得ることが可能となる。
【００４７】
また、内層１０Ａの圧力損失が外層１０Ｂの圧力損失よりも大きい。このため、マスク１の着用中において、呼吸によりマスク本体１０内が陰圧になった際に、内層１０Ａが肌に向かって変形することによって肌に接触するので、美容効果が高まる。一方、外層１０Ｂの圧力損失が内層１０Ａのそれよりも小さいことから、呼吸時における外層１０Ｂの内側への変形が抑制される。このため、呼吸時に外層１０Ｂと内層１０Ａとの間に空間が形成されるので、呼吸のしやすさが確保される。
【００４８】
さらに、中間層１０Ｃの圧力損失が外層１０Ｂの圧力損失よりも小さい。このため、中間層１０Ｃは、呼吸時における外層１０Ｂから内層１０Ａへ向かう通気をほぼ阻害することなく、外層１０Ｂの内側への変形を抑制する。よって、呼吸時に外層１０Ｂと内層１０Ａとの間により確実に空間が形成されるので、呼吸のしやすさがさらに確保される。
【００４９】
そして、内層１０Ａの曲げ硬さが外層１０Ｂの曲げ硬さよりも小さい。このため、呼吸時における内層１０Ａの肌に向かう変形が促進されるので、美容効果がさらに高まる。
【００５０】
（第２実施形態）
次に、図５〜図７を参照しながら、本発明の第２実施形態のマスク１について説明する。なお、第２実施形態では、第１実施形態と異なる部分についてのみ説明を行い、第１実施形態と同じ構造、作用及び効果の説明は省略する。
【００５１】
本実施形態のマスク１は、マスク本体１０の形状が第１実施形態のそれと異なる。図５に示されるように、特に、中央被覆部１２及び内側被覆部２０の形状が第１実施形態のそれと異なる。
【００５２】
本実施形態では、中央被覆部１２のうち鼻被覆部１３と口周囲被覆部１４との境界は、中央直線Ｃに沿ってマスク本体１０が折り曲げられた状態において鼻被覆部１３から耳掛け部３０側に向かうように窪む形状を有している。このため、一対の耳掛け部３０が耳に掛けられたときに、鼻被覆部１３と口周囲被覆部１４との境界が鼻の下の部位に密着しやすくなる。よって、鼻の下の部位の美容効果が高まる。
【００５３】
また、内側被覆部２０は、略直線状に形成されている。本実施形態では、外側被覆部２２の前記直線ＨＬからの上方への突出寸法ｈは、２２．５ｍｍに設定されている。
【００５４】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
例えば、第２実施形態においても、内側被覆部２０の上側の縁部の形状が第１実施形態のそれと同じに設定されてもよい。
【００５６】
また、一対の保持部３０は、耳掛け部３０に限られない。例えば、保持部３０は、幅方向についてマスク本体１０の側部から外向きに突出する形状を有し、かつ、顔面に貼り付けられることが可能な粘着部でもよい。
【符号の説明】
【００５７】
１    マスク
１０    マスク本体
１０Ａ  内層
１０Ｂ  外層
１０Ｃ  中間層
１２    中央被覆部
１３    鼻被覆部
１４    口周囲被覆部
１６    側部被覆部
２０    内側被覆部
２２    外側被覆部
３０    保持部（耳掛け部）
３２    端部
４０    薬剤層
【図１】
2019011533.tif 000003
【図２】
2019011533.tif 000004
【図３】
2019011533.tif 000005
【図４】
2019011533.tif 000006
【図５】
2019011533.tif 000007
【図６】
2019011533.tif 000008
【図７】
2019011533.tif 000009